(57)【要約】【課題】大幅な小型化を実現しつつカラー画像の形成が可能な画像形成装置を提供する。【解決手段】タンデム方式のカラーデジタルプリンタ１は、作像ユニットとして、マゼンタ色系のトナーを含む現像剤が収容される現像器６Ｍを有する作像ユニット２Ｍと、シアン色系のトナーを含む現像剤が収容される現像器６Ｃを有する作像ユニット２Ｃと、ブラック色系のトナーを含む現像剤が収容される現像器６Ｋを有する作像ユニット２Ｋのみを備え、マゼンタ，シアンおよびブラックの３色のトナー像によりカラー画像を形成する。【選択図】図１
2007155832.tif 000002
【特許請求の範囲】
【請求項１】
イエロー色を除くマゼンタ、シアン、ブラック色用の現像部を有する作像手段を備え、各現像部により現像されたマゼンタ、シアン、ブラック色系のトナー像を被転写体上に転写してカラー画像を形成することを特徴とする画像形成装置。
【請求項２】
前記被転写体は、中間転写体または転写材搬送体上を搬送される転写材であり、
前記作像手段は、
前記中間転写体または前記転写材搬送体の移動方向に沿って列設された第１、第２、第３の像担持体を有し、
マゼンタ色用の現像部を用いて第１の像担持体上にマゼンタ色系のトナー像を形成し、
シアン色用の現像部を用いて第２の像担持体上にシアン色系のトナー像を形成し、
ブラック色用の現像部を用いて第３の像担持体上にブラック色系のトナー像を形成し、
形成された各トナー像を前記中間転写体上または前記転写材上に順次転写して重ね合わせることを特徴とする請求項１に記載の画像形成装置。
【請求項３】
前記被転写体が中間転写体の場合には、
ブラック色系のトナー像が前記中間転写体上に最後に転写されると共に、転写により前記中間転写体上に重ね合わされた各トナー像がさらに別の転写材上に一括して転写される構成になっており、
前記被転写体が転写材の場合には、
ブラック色系のトナー像が前記転写材上に最初に転写される構成になっていることを特徴とする請求項２に記載の画像形成装置。
【請求項４】
前記被転写体は、中間転写体または転写材搬送体上を搬送される転写材であり、
前記作像手段は、
１つの像担持体を有し、前記各現像部を切り換えて、色ごとに、前記像担持体上にトナー像を順次形成し、形成されたトナー像を前記中間転写体上または転写材上に転写して重ね合わせることを特徴とする請求項１に記載の画像形成装置。
【請求項５】
前記被転写体が中間転写体の場合には、
ブラック色系のトナー像が前記像担持体上に最後に形成されると共に、転写により前記中間転写体上に重ね合わされた各トナー像がさらに別の転写材上に一括して転写される構成になっており、
前記被転写体が転写材の場合には、
ブラック色系のトナー像が前記像担持体上に最初に形成される構成になっていることを特徴とする請求項４に記載の画像形成装置。
【請求項６】
前記マゼンタ色用の現像部には、マゼンタ、シアン、イエロー、ブラック色の４色でカラー画像を形成する場合に用いられるフルカラー用マゼンタのトナーよりも、色度図上の色度点がイエローの色相に近づく方向にシフトしたトナーが収容され、かつ／または、
前記シアン色用の現像部には、マゼンタ、シアン、イエロー、ブラック色の４色でカラー画像を形成する場合に用いられるフルカラー用シアンのトナーよりも、色度図上の色度点がイエローの色相に近づく方向にシフトしたトナーが収容されていることを特徴とする請求項１乃至５のいずれか１項に記載の画像形成装置。
【請求項７】
制御手段を備え、
前記各現像部は、第１、第２、第３の位置のいずれかの位置に装着されると共に、装置本体に対し着脱可能に構成されており、
前記制御手段は、
どの位置にどの色用の現像部が装着されているのかを判定する判定手段と、
入力データをマゼンタ，シアン，ブラックの各再現色のデータに変換する変換手段と、を有し、
前記判定手段による判定結果に応じて変換処理の内容を変えることを特徴とする請求項１乃至６のいずれか１項に記載の画像形成装置。
【請求項８】
制御手段を備え、
前記各現像部は、第１、第２、第３の位置のいずれかの位置に装着されると共に、装置本体に対し着脱可能に構成されており、
前記制御手段は、
どの位置にどの色用の現像部が装着されているのかを判定する判定手段と、
前記判定手段による判定結果に応じて各現像部のセット状態の適否を判定し、判定された結果をユーザに対し通知する通知手段と、
を備えることを特徴とする請求項１乃至６のいずれか１項に記載の画像形成装置。
【請求項９】
前記通知手段は、
前記判定された結果を表示する表示手段であることを特徴とする請求項８に記載の画像形成装置。
【請求項１０】
イエロー色を除くマゼンタ、シアン、ブラック色用の現像部により現像されたマゼンタ、シアン、ブラック色系のトナー像を被転写体上に転写してカラー画像を形成することを特徴とする画像形成方法。
【発明の詳細な説明】
【技術分野】
【０００１】
本発明は、カラー画像を形成する画像形成装置および画像形成方法に関する。
【背景技術】
【０００２】
カラーの画像形成装置の分野では、Ｃ（シアン），Ｍ（マゼンタ），Ｙ（イエロー）およびＫ（ブラック）の少なくとも４色のトナーを用いてカラー画像を形成する複写機やプリンタ等の開発が行われている。
このような複写機等には、例えばＣ，Ｍ，Ｙ，Ｋの各色用の作像ユニットを、転写ベルトに沿って配列し、それぞれの作像ユニットで形成した各色トナー像を中間転写ベルト上に順次重ね合わせて転写し、その転写された各色トナー像を一括して記録シート上に転写する、いわゆるタンデム方式のものがある。タンデム方式は、一回の通紙でカラーの画像形成が行えるのでコピー処理の高速化が可能になる。
【非特許文献１】編者  電子写真学会    「続  電子写真技術の基礎と応用」    発行者    株式会社  コロナ社    １９９６年１１月１５日    Ｐ．５５
【発明の開示】
【発明が解決しようとする課題】
【０００３】
一般的に複写機等は、会社のオフィス内など限られたスペースに設置されることが多く、できるだけ小型化することが望まれている。ところが、上記のタンデム方式のように４色の作像ユニットを配置する構成では、大幅な小型化を図れない。
このような問題は、タンデム方式に限られず、いわゆる転写ドラム方式や中間転写体方式など、少なくともＣ，Ｍ，Ｙ，Ｋの４色のトナー像によりカラー画像を形成する装置に同様に生じ得る。
【０００４】
本発明は、上記の問題点に鑑みてなされたものであって、従来よりも大幅な小型化を実現しつつカラー画像の形成が可能な画像形成装置および画像形成方法を提供することを目的としている。
【課題を解決するための手段】
【０００５】
上記目的を達成するため、本発明に係る画像形成装置は、イエロー色を除くマゼンタ、シアン、ブラック色用の現像部を有する作像手段を備え、各現像部により現像されたマゼンタ、シアン、ブラック色系のトナー像を被転写体上に転写してカラー画像を形成することを特徴とする。
【発明の効果】
【０００６】
このようにすれば、カラー画像の形成が可能であると共に、マゼンタ，シアンおよびブラック色用の現像部に加えてイエロー色用の現像部をも備える画像形成装置に比べて、装置本体の大幅な小型化およびコスト低減を図れる。
また、前記被転写体は、中間転写体または転写材搬送体上を搬送される転写材であり、前記作像手段は、前記中間転写体または前記転写材搬送体の移動方向に沿って列設された第１、第２、第３の像担持体を有し、マゼンタ色用の現像部を用いて第１の像担持体上にマゼンタ色系のトナー像を形成し、シアン色用の現像部を用いて第２の像担持体上にシアン色系のトナー像を形成し、ブラック色用の現像部を用いて第３の像担持体上にブラック色系のトナー像を形成し、形成された各トナー像を前記中間転写体上または前記転写材上に順次転写して重ね合わせることを特徴とする。
【０００７】
このようにすれば、いわゆるタンデム方式の画像形成装置を構成することができ、タンデム方式による画像形成の高速度化等の効果を得られる。
ここで、前記被転写体が中間転写体の場合には、ブラック色系のトナー像が前記中間転写体上に最後に転写されると共に、転写により前記中間転写体上に重ね合わされた各トナー像がさらに別の転写材上に一括して転写される構成になっており、前記被転写体が転写材の場合には、ブラック色系のトナー像が前記転写材上に最初に転写される構成になっていることを特徴とする。
【０００８】
このようにすれば、ブラック色系のトナー像が記録シート等の転写材上において最下層に位置することになり、ブラック色の色再現性を向上できる。
また、前記被転写体は、中間転写体または転写材搬送体上を搬送される転写材であり、前記作像手段は、１つの像担持体を有し、前記各現像部を切り換えて、色ごとに、前記像担持体上にトナー像を順次形成し、形成されたトナー像を前記中間転写体上または転写材上に転写して重ね合わせることを特徴とする。
【０００９】
このようにすれば、いわゆる中間転写方式または転写ドラム方式の画像形成装置を構成することができ、中間転写方式等による、像担持体を１つ備えるだけで済むというコスト低減等の効果を得られる。
ここで、前記被転写体が中間転写体の場合には、ブラック色系のトナー像が前記像担持体上に最後に形成されると共に、転写により前記中間転写体上に重ね合わされた各トナー像がさらに別の転写材上に一括して転写される構成になっており、前記被転写体が転写材の場合には、ブラック色系のトナー像が前記像担持体上に最初に形成される構成になっていることを特徴とする。
【００１０】
このようにすれば、ブラック色系のトナー像が記録シート等の転写材上において最下層に位置することになり、ブラック色の再現性を向上できる。
また、前記マゼンタ色用の現像部には、マゼンタ、シアン、イエロー、ブラック色の４色でカラー画像を形成する場合に用いられるフルカラー用マゼンタのトナーよりも、色度図上の色度点がイエローの色相に近づく方向にシフトしたトナーが収容され、かつ／または、前記シアン色用の現像部には、マゼンタ、シアン、イエロー、ブラック色の４色でカラー画像を形成する場合に用いられるフルカラー用シアンのトナーよりも、色度図上の色度点がイエローの色相に近づく方向にシフトしたトナーが収容されていることを特徴とする。
【００１１】
このようにすれば、最終的に記録シート等の転写材上に形成される画像のイエロー色の再現性をより向上できる。
さらに、制御手段を備え、前記各現像部は、第１、第２、第３の位置のいずれかの位置に装着されると共に、装置本体に対し着脱可能に構成されており、前記制御手段は、どの位置にどの色用の現像部が装着されているのかを判定する判定手段と、入力データをマゼンタ，シアン，ブラックの各再現色のデータに変換する変換手段と、を有し、前記判定手段による判定結果に応じて変換処理の内容を変えることを特徴とする。
【００１２】
このようにすれば、現像部がどの位置に装着されても、その組み合わせに応じた最適な変換処理を実行でき、色再現性の向上を図れる。
また、制御手段を備え、前記各現像部は、第１、第２、第３の位置のいずれかの位置に装着されると共に、装置本体に対し着脱可能に構成されており、前記制御手段は、どの位置にどの色用の現像部が装着されているのかを判定する判定手段と、前記判定手段による判定結果に応じて各現像部のセット状態の適否を判定し、判定された結果をユーザに対し通知する通知手段と、を備えることを特徴とする。
【００１３】
このようにすれば、ユーザは現像部のセット状態を確認でき、例えば本来であれば第１の位置にはマゼンタ色用の現像部が装着されるべきところ誤ってブラック色用の現像部を装着してしまったとしても、その誤りを直ぐに正すことが可能になる。
ここで、前記通知手段は、前記判定された結果を表示する表示手段であることを特徴とする。
【００１４】
このようにすれば、ユーザはセット状態の適否を目で確認できる。
本発明の画像形成方法は、イエロー色を除くマゼンタ、シアン、ブラック色用の現像部により現像されたマゼンタ、シアン、ブラック色系のトナー像を被転写体上に転写してカラー画像を形成することを特徴とする。
【発明を実施するための最良の形態】
【００１５】
以下、本発明に係る画像形成装置の実施の形態を、図面を参照しながら説明する。
（第１の実施の形態）
図１は、タンデム方式のカラーデジタルプリンタ（以下、単に「プリンタ」という。）１の全体の構成を示す図である。
同図に示すように、プリンタ１は、マゼンタ（Ｍ）、シアン（Ｃ）およびブラック（Ｋ）の各色のそれぞれに対応する作像ユニット２Ｍ，２Ｃ，２Ｋと、矢印Ａ方向に回転する中間転写ベルト１１を備える中間転写部１０と、給送部３０と、定着部４０と、制御部１００とを備えており、ネットワーク、ここではＬＡＮに接続されて、外部の端末装置（不図示）からの印刷（プリント）ジョブの実行指示を受け付けると、その指示に基づいてマゼンタ、シアンおよびブラック色からなるカラーの画像形成を実行するものである。以下、マゼンタ、シアン、ブラックの各再現色をＭ、Ｃ、Ｋと表し、各再現色に関連する構成部分の番号にこのＭ、Ｃ、Ｋを添字として付加する。
【００１６】
作像ユニット２Ｍ〜２Ｋは、中間転写ベルト１１に対向して回転方向上流側（以降、単に「上流側」という）から回転方向下流側（以降、単に「下流側」という）に沿って所定間隔で直列に配置されており、像担持体としての感光体ドラム３Ｍ，３Ｃ，３Ｋと、その周囲に配設された帯電器４Ｍ，４Ｃ，４Ｋと、露光部５Ｍ，５Ｃ，５Ｋと、Ｍ色系のトナーを含む現像剤が収容されている現像器６Ｍ、Ｃ色系のトナーを含む現像剤が収容されている現像器６Ｃ、Ｋ色系のトナーを含む現像剤が収容されている現像器６Ｋと、クリーナ８Ｍ，８Ｃ，８Ｋなどを備えている。
【００１７】
中間転写部１０は、駆動ローラ１２と、従動ローラ１３と、テンションローラ１４と、感光体ドラム３Ｍ〜３Ｋと対向する一次転写ローラ７Ｍ，７Ｃ，７Ｋと、各ローラに張架される中間転写体としての中間転写ベルト１１と、駆動ローラ１２を回転駆動させる駆動モータ（不図示）と、中間転写ベルト１１上の残留トナーを清掃するクリーナ１５などを備えている。
【００１８】
給送部３０は、用紙Ｓを収容する給紙カセット３１と、給紙カセット３１内の用紙Ｓを１枚ずつ繰り出す繰り出しローラ３２と、繰り出された用紙Ｓを搬送する搬送ローラ対３３と、二次転写位置２１に用紙Ｓを送り出すタイミングをとるためのタイミングローラ対３４と、二次転写ローラ３５などを備えている。
制御部１００は、外部の端末装置からプリント指示を受けると、送信されて来る画像信号を受信して、これをＭ，Ｃ，Ｋ色用のデジタル画像信号に変換し、露光部５Ｍ〜５Ｋを駆動させるための駆動信号を生成する。露光部５Ｍは、制御部１００からの駆動信号を受けてＭ色の画像形成のためのレーザ光を発し、感光体ドラム３Ｍ上を主走査方向に露光走査させる。同様に、露光部５Ｃ，５Ｋは、Ｃ色，Ｋ色の画像形成のためのレーザ光を発し、感光体ドラム３Ｃ，３Ｋ上を露光走査させる。
【００１９】
感光体ドラム３Ｍ〜３Ｋは、前記露光を受ける前にクリーナ８Ｍ〜８Ｋで表面の残存トナーが除去され、不図示のイレーサランプに照射されて除電された後、帯電器４Ｍ〜４Ｋにより一様に帯電されており、このように一様に帯電した状態で上記レーザ光による露光を受けると、感光体ドラム３Ｍ〜３Ｋの表面に静電潜像が形成される。
各静電潜像は、それぞれ各色の現像器６Ｍ〜６Ｋにより現像され、これにより感光体ドラム３Ｍ〜３Ｋ表面にＭ，Ｃ，Ｋ色の現像剤像としてのトナー像が形成され、各一次転写位置９Ｍ，９Ｃ，９Ｋにおいて中間転写ベルト１１の裏面側に配設された一次転写ローラ７Ｍ，７Ｃ，７Ｋに印加された電圧により生じる静電力により、回転する中間転写ベルト１１上に順次転写されていく。
【００２０】
この際、各色の作像動作は、そのトナー像が中間転写ベルト１１上の同じ位置に重ね合わせて一次転写されるように、上流側から下流側に向けてタイミングをずらして実行される。これにより、トナー像は、中間転写ベルト１１上においてＭ，Ｃ，Ｋの順に重ねられることになる。この意味で、作像ユニット２Ｍ〜２Ｋと中間転写部１０とは、作像手段として機能するものといえる。
【００２１】
中間転写ベルト１１上の重ね合わされた各色トナー像は、中間転写ベルト１１の回転により二次転写位置２１に移動する。
一方、中間転写ベルト１１の移動タイミングに合わせて、給送部３０からは、タイミングローラ対３４を介して用紙Ｓが給送されて来ており、その用紙Ｓは、回転する中間転写ベルト１１と二次転写ローラ３５の間に挟まれて搬送され、二次転写位置２１において、二次転写ローラ３５に印加された電圧により生じた静電力により中間転写ベルト１１上のトナー像が一括して用紙Ｓ上に転写（二次転写）される。
【００２２】
トナー像は、中間転写ベルト１１上では下からＭ，Ｃ，Ｋの順になっているので、用紙Ｓ上では下からＫ，Ｃ，Ｍの順になり、Ｋ色系のトナー像が最下層に位置することになる。このように用紙Ｓ上でＫ色系のトナー像を最下層に位置する状態にすることで色再現性をより向上させることができる。
二次転写位置２１を通過した用紙Ｓは、定着部４０に搬送され、ここでトナー像が加熱、加圧されて用紙Ｓに定着された後、排出ローラ対３６を介して排出トレイ４１上に排出される。
【００２３】
これにより、Ｍ，Ｃ，Ｋの３色のトナー像によるカラー画像が形成されることになるが、モノクロ、例えばＫ色の画像形成の場合には、作像ユニット２Ｋだけが用いられ上記の転写等の工程を経てシート上にＫ色の画像が形成されることになる。
このように本実施の形態では、イエロー（Ｙ）色を用いない構成としている。これは、Ｙ色が再現画像への影響が最も少ないトナーであり、色再現性の低下を最小限に抑えられるからであるが、Ｙ色系のトナーを用いないとするだけではＹ色が再現できなくなってしまうので、本実施の形態ではＭ，Ｃ色系のトナーを工夫、具体的には、その色度点を従来のＹ色を用いる構成のものに対し変更している。
【００２４】
図２は、Ｌ＊ａ＊ｂ＊表色系におけるＭ，Ｃ色系のトナーの色度点を示す色度図である。ここで、Ｍ，Ｃ色について、白丸印のプロットが従来の構成（Ｙ，Ｍ，Ｃ色を用いてカラー画像を形成する構成）のトナーの色度点を示しており、四角印が本実施の形態の構成（Ｙ色を用いないでカラー画像を形成する構成）のトナーの色度点を示している。
同図に示すように、例えばＭ色系のトナーについて見ると、本実施の形態のものは従来のものよりも赤（Ｒ）方向にシフトした位置に色度点を有しており、Ｃ色系のトナーについて見ると、本実施の形態のものは従来のものよりも緑（Ｇ）方向にシフトした位置に色度点を有していることが解る。
【００２５】
ここで、赤方向とは、Ｍ色とＹ色の混色によるＲ（赤）色の色相方向をいい、赤方向にシフトした位置に色度点を有するとは、Ｍ色の色相をＲ色の色相に近づけることをいう。
同様に、緑方向とは、Ｃ色とＹ色の混色によるＧ（緑）色の色相方向をいい、緑方向にシフトした位置に色度点を有するとは、Ｃ色の色相をＧ色の色相に近づけることをいう。
このようにＭ，Ｃ色系のトナーとして、その色度点が従来の構成よりもＲ、Ｇ色の方向にシフトしたものを用いるので、Ｙ色との減法混色で実現されるＲ色（Ｒ＝Ｍ＋Ｙ）、Ｇ色（Ｇ＝Ｃ＋Ｙ）の色再現性を、Ｙ色のトナーがなくてもある程度確保でき、Ｒ色やＧ色といった使用頻度の高い色の再現性を向上できる。
【００２６】
Ｍ色，Ｃ色系トナーの色度点のシフト量およびシフトの方向は、実験等から予め求めることができ、もちろん上記のものに限られることはない。従来の構成をとるときのＭ色，Ｃ色系のトナーの色度点に対し、色度図上においてＹ色の色相に近づく方向成分を有する方向にシフトした色度点のＭ色，Ｃ色系トナーを用いれば、色再現性を向上できるからである。
【００２７】
例えば、ジャパンカラー（JapanColor）を基準とする場合に、２度視野Ｄ５０の観察条件において、Ｍ色系のトナーの色度点を、Ｒ色（ａ＊：６８．５、ｂ＊：４８．０）の周辺または極めて近い位置に、Ｃ色系のトナーの色度点を、Ｇ色（ａ＊：−７３．５、ｂ＊：２５．０）の周辺または極めて近い位置にとる構成としても良い。
さらに、ＳＷＯＰ（Specifications for Web Offset Publications）やＥｕｒｏ  Ｃｏｌｏｒなどの別の色基準を用いる場合でも、Ｍ色，Ｃ色系トナーの色度点をＲ，Ｇ色の色相またはＹ色の色相に近づける構成とすることで同様の効果を得られる。
【００２８】
なお、上記のトナーの製法としては、従来のトナーの製法において、上記色度点を有する色材をバインダ樹脂等に含有する方法等がとられる。
図１に戻って、作像ユニット２Ｍ〜２Ｋは、それぞれが装置本体に対し着脱可能に構成されており、ユーザは、必要に応じて、例えばあるユニットのトナーがなくなるとそのユニットを取り出して新たなユニットに容易に交換することができる。ここでは、ユニットごとに、当該ユニットを格納するためのスロット（不図示）が装置本体に設けられており、ユーザは、装置前側の外装カバー（不図示）を開けて各スロットに収納されているユニットを装置手前側に引き出す、またはユニットを装置奥側に押し込むことで着脱することができるようになっている。もちろん、着脱可能であれば、この構成に限られることはない。
【００２９】
また、本実施の形態では、Ｍ色，Ｃ色用の作像ユニットとして、色度点が従来のものと同じＭ色，Ｃ色系のトナーを含む現像剤が現像器に収容された別の作像ユニット２Ｍ´、２Ｃ´（不図示）が、例えばオプション扱いなどで用意されており、これらを作像ユニット２Ｍ，２Ｃに代えて装置本体に装着することが可能になっている。
この別の作像ユニット２Ｍ´，２Ｃ´は、基本的に作像ユニット２Ｍ，２Ｃと同じ構成、大きさであるが、トナーの色度点だけが異なっている。
【００３０】
ユーザは、作像ユニットとして、２Ｍまたは２Ｍ´、２Ｃまたは２Ｃ´を選択して装置本体に装着することができる。ここで、各作像ユニットは、どの色対応のものであるのかを示す識別信号、例えば３ビットの信号を出力端子（不図示）から出力する図示しない信号出力手段を有している。例えば、作像ユニット２Ｍが「００１」、２Ｍ´が「０１０」・・・２Ｋが「１０１」等という具合である。
【００３１】
プリンタ１の、作像ユニット２Ｍ〜２Ｋの装着位置に対応する位置には、ユニット接続端子７１，７２，７３が配設されている。このユニット接続端子７１〜７３は、作像ユニットが装置本体に装着されると、その作像ユニットに設けられた出力端子と電気的に接続されるものである。各作像ユニットから出力される識別信号は、ユニット接続端子７１〜７３を介して制御部１００に送られる。
【００３２】
制御部１００のセット状態判定部１０９（図３）は、各作像ユニットからの識別信号を受信すると、その識別信号により示される３ビットの情報から、どの作像ユニットがどの位置に装着されているのかを判定する。具体的には、例えばユニット接続端子７１を介して受信した識別信号が「００１」であった場合には、ユニット接続端子７１に対応する位置（装置左端）に、作像ユニット２Ｍが装着されているとする。以下、ユニット接続端子７２に対応する位置を「装置中央」、ユニット接続端子７３に対応する位置を「装置右端」という。
【００３３】
なお、各作像ユニットには、当該ユニットがどの色に対応し、どの色度点を有するトナーが充填されたものなのかをユーザが判別するための情報（名称等）を示すラベル（不図示）が貼着されており、ユーザはそのラベルを見て各ユニットを間違えることなく判別することができるようになっている。
図３は、制御部１００の構成を示すブロック図である。
【００３４】
同図に示すように、制御部１００は、主な構成要素として、ＣＰＵ１０１と、通信インターフェース（Ｉ／Ｆ）部１０２と、画像処理部１０３と、画像メモリ１０４と、ＬＤ駆動部１０５と、ＲＡＭ１０６と、ＲＯＭ１０７と、適正情報記憶部１０８と、セット状態判定部１０９とを備え、バス１１０を介してデータをやりとりできるようになっている。
通信Ｉ／Ｆ部１０２は、ＬＡＮカード、ＬＡＮボードといったＬＡＮ等のネットワークに接続するためのインターフェースである。
【００３５】
セット状態判定部１０９は、現に装着されている各作像ユニットからの識別信号を、ユニット接続端子７１〜７３を介して受信して、どの作像ユニットがどの位置に装着されているのかを判定する。
適正情報記憶部１０８は、不揮発性メモリからなり、画像形成を行う際の作像ユニットの組み合わせとしてどの組み合わせが適正であるかを示す適正情報が格納されている。
【００３６】
図４は、適正情報の内容例を示す模式図である。
同図に示すように、適正情報は、装置左端、装置中央、装置右端の各位置に装着される作像ユニットの適正な組み合わせ例を示したものである。具体的にパターン１とは、装置の左端、中央、右端の順にＭ，Ｃ，Ｋの作像ユニットが装着される例を示している。
また、パターン２は、Ｍ´，Ｃ´，Ｋの組み合わせになっている。トナーの組み合わせとしては、再現性の面から、ＭとＣが最適であることはいうまでもないが、例えば会社のオフィスなどにおいてグラフなどの図表を、厳密に再現できなくてもカラーで表現できれば良いと考えるユーザなどにとっては、作像ユニットの組み合わせとして、Ｍ´とＣ´を用いることで利便性を向上できる場合もあり、これよりパターン２の場合も適正の範囲内としているものである。なお、トナーの色度点の調整次第では、Ｍ´とＣ、またはＭとＣ´の組み合わせの場合を考えることも可能である。
【００３７】
図３に戻って、画像処理部１０３は、通信Ｉ／Ｆ部１０２を介して受信した画像信号、例えば赤（Ｒ），緑（Ｇ），青（Ｂ）色のデータにシェーディング等の公知の補正処理を施す。そして、１画素ごとに、Ｍ，Ｃ，Ｋの再現色用のデジタル画像信号（画像データ）に変換し、変換した画像データを画像メモリ１０４に格納させる。この変換は、ＭＣＫ色変換部１０３１により行われる。
【００３８】
図５は、ＭＣＫ色変換部１０３１の構成を示すブロック図である。
同図に示すように、ＭＣＫ色変換部１０３１は、選択部１１３０と、変換処理部１１３１，１１３２とを備える。
選択部１１３０は、作像ユニットの組み合わせ（パターン１、２）に応じて、Ｒ，Ｇ，Ｂ色からＭ，Ｃ，Ｋ色への変換を、変換処理部１１３１と１１３２のうち、いずれの変換処理部で行うのかを選択する。
【００３９】
変換処理部１１３１，１１３２は、予め決められた変換式を用いてＲ，Ｇ，ＢからＭ，Ｃ，Ｋへの変換を実行する。
この変換式は、従来のＵＣＲ（下色除去）やＢＰ（墨生成）、γ補正等の画像処理で用いられるものを基本にして、Ｙ，Ｍ，Ｃ，Ｋ色のデータにかかる係数を、トナーの色度点および作像ユニットの組み合わせ等を考慮した上でその組み合わせごとに最適な値を実験等から求めることにより生成される。
【００４０】
ここでは、パターン１の場合に対応する変換式のデータが変換処理部１１３１に予め格納され、変換の際に読み出されてその処理に供される。パターン２については変換処理部１１３２に、その変換式のデータが予め格納される。このＭＣＫ色変換部１０３１による変換処理の内容については、後述する。
なお、従来の変換式を利用して係数の値を工夫する方法に限られず、例えばＭ，Ｃ色だけを用いてカラー画像を形成する本発明の構成に対応する新たな変換式を実験等から求めるとしても良い。また、予め決められた条件に基づいてデータを変換できるものであれば、式に限られず種々の方法、例えば変換テーブル等を用いることもできる。
【００４１】
図３に戻り、ＬＤ駆動部１０５は、ＣＰＵ１０１の制御を受けて画像メモリ１０４から走査ラインごとにＭ，Ｃ，Ｋ色の画像データを読み出し、露光部５Ｍ〜５Ｋを駆動する。
ＲＯＭ１０７は、作像ユニット２Ｍ〜２Ｋ、中間転写部１０における作像動作および給送部３０による用紙Ｓの給送動作に関するプログラム、作像ユニットのセット状態をユーザに知らせるセット状態通知処理に関するプログラムなどを格納している。
【００４２】
ＲＡＭ１０６は、ＣＰＵ１０１におけるプログラム実行時のワークエリアとなる。
ＣＰＵ１０１は、ＲＯＭ１０７から必要なプログラムを読み出して、作像、給送動作等を、タイミングを取りながら統一的に制御して円滑なプリント動作を実行させる。また、セット状態通知処理を実行する。
図６は、セット状態通知処理の内容を示すフローチャートである。この処理は、少なくとも１つの作像ユニットが交換された際に実行される。
【００４３】
交換があったことの判断は、例えば作像ユニットを検知するためのスイッチ（不図示）、具体的には作像ユニットが装着されているときにオンされ、未装着のときにオフされるスイッチを装置本体内に設けておき、そのスイッチからの信号がオフからオンの状態に変わったときに交換があったものとする方法等が考えられる。もちろん、作像ユニットの着脱を検出できる方法であれば、どのような方法をとるとしても良い。
【００４４】
同図に示すように、制御部１００は、装着されている各作像ユニットから識別情報を受信し（ステップＳ１１）、受信した識別情報から、装着されている作像ユニットのセット状態、すなわちどの位置にどの色用の作像ユニットが装着されているのかを判定する（ステップＳ１２）。この判定は、セット状態判定部１０９により行われる。
そして、判定された作像ユニットのセット状態を操作パネル５０上に表示させる（ステップＳ１３）。
【００４５】
図７は、作像ユニットのセット状態をメッセージにより表示した例を示す図である。
図７（ａ）は、作像ユニットが装置の左端から順に、Ｍ，Ｋ，Ｃの順に装着されている旨のメッセージを表示させた画面２０１の例を示す図である。また、図７（ｂ）は、装置の左端からＭ´，Ｃ´，Ｋの順に装着されている旨のメッセージを表示させた画面２０２の例を示す図である。
【００４６】
図６に戻って、制御部１００は、セット状態が適正であるか否かを判断する（ステップＳ１４）。ここで、適正か否かの判断は、装着されている作像ユニットの組み合わせが、適性情報で示されるパターン１，２のいずれかと一致しているか否かにより行われる。具体的には、セット状態として、例えば装置の左端、中央、右端の順に、作像ユニットＭ，Ｃ，Ｋが装着されている場合には、パターン１に相当するため、適正と判断される。また、図７（ａ）の例のようにＭ，Ｋ，Ｃの順である場合には、相当するパターンが存在しないので適正でないと判断される。一方、図７（ｂ）の例の場合には、パターン２に相当するので適正とされる。
【００４７】
適正でないと判断されると（ステップＳ１４で「ＮＯ」）、その旨および適正な状態にするためのガイドを示すメッセージを操作パネル５０上に表示させる（ステップＳ１５、Ｓ１６）。
図７（ｃ）は、適正でない場合に表示される画面２０３の例を示す図である。同図は、図７（ａ）の場合に対応する表示例であり、セット状態が適正ではない旨、および適正にするためのガイドとして作像ユニットＫとＣの位置を入れ換えれば良い旨のメッセージが表示された例である。なお、適正ではない旨のメッセージと、適正にするためのガイドのメッセージを１画面に表示させたが、別々の画面を設け、それらを切り換えて表示させるとしても良い。
【００４８】
制御部１００は、ユーザにより作像ユニットがセットし直されたこと等により、適正な状態になったことを判断すると（ステップＳ１４で「ＹＥＳ」）、操作パネル５０上に表示させていた画面２０１等を消灯させ（ステップＳ１７）、当該処理を終了する。
上記では、適正か否かを判断するとしたが、これに限られず、例えば最適な否かを判断するとしても良い。この場合、ステップＳ１４では、パターン１のときに最適とし、それ以外のときに最適ではないと判断する構成をとることができる。最適ではない、例えばパターン２であると判断した場合に、図７（ｄ）の画面２０４を操作パネル５０上に表示させるとしても良い。画面２０４は、Ｍ´とＣ´の作像ユニットをＭとＣの作像ユニットに交換すれば、最適な状態になることをメッセージで示している。
【００４９】
また、ユーザに通知できれば良いので、メッセージ表示に限られず、例えば音声、その旨を示すランプの点灯、またはジョブ発行元となるパーソナルコンピュータ等の外部の端末装置に対し、そのディスプレイ等の表示手段にその旨の表示のための指示を行う等の通知処理を行うとしても良い。このことは、後述する第２の実施の形態にも適用できる。
図８は、ＭＣＫ変換部１０３１における変換処理の内容を示すフローチャートである。
【００５０】
同図に示すように、シェーディング等の補正処理後のＲ，Ｇ，Ｂ色のデータを受信すると（ステップＳ１０１）、作像ユニットのセット状態を示すパターンを判定する（ステップＳ１０２）。この判定は、上記ステップＳ１１、Ｓ１２、Ｓ１４の処理と同じ処理を実行することにより行われる。具体的には、セット状態判定部１０９による判定結果と適正情報とを参照し、判定結果から、どの位置にどの作像ユニットが装着されているのかを把握した後、その組み合わせがパターン１と２のいずれのパターンに相当するのかを判断するものである。
【００５１】
パターン１であることが判定されると（ステップＳ１０３で「ＹＥＳ」）、変換に用いるべき処理部として、変換処理部１１３１を選択する（ステップＳ１０４）。
そして、選択された変換処理部、ここでは１１３１に受信したＲ，Ｇ，Ｂ色のデータを送信する（ステップＳ１０５）。
Ｒ，Ｇ，Ｂ色のデータを受け付けた変換処理部、ここでは１１３１は、自身に格納されている変換式のデータを読み出して、その変換式を用いてＲ，Ｇ，Ｂ色のデータをＭ，Ｃ，Ｋ色の画像データに変換する（ステップＳ１０６）。そして、変換後の画像データを画像メモリ１０４に出力して（ステップＳ１０７）、当該処理を終了する。
【００５２】
パターン２であることが判定されると（ステップＳ１０３で「ＮＯ」）、変換に用いるべき処理部として変換処理部１１３２を選択し（ステップＳ１０８）、ステップＳ１０５に移り、ステップＳ１０５〜Ｓ１０７において、変換処理部１１３２へのデータ送信、Ｍ，Ｃ，Ｋへの変換、データ出力の各処理を行う。
上記では、作像ユニットの組み合わせとしてパターン１と２のいずれかを判定するとしたが、例えばこれ以外の組み合わせで作像ユニットがセットされている場合には、ステップＳ１０２の次に、上述のセット状態通知処理を実行し、ユーザによるセットし直しの作業によりセット状態が適正と判断された後に、ステップＳ１０３以降の処理を実行する構成をとるとしても良い。
【００５３】
以上説明したように、本実施の形態では、タンデム方式のカラーデジタルプリンタにおいて、Ｍ，Ｃ，Ｋ色用の作像ユニットだけを備える構成としているので、色再現性の低下を最小限に抑えつつカラー画像の形成を可能とし、Ｙ色用の作像ユニットを備えないことによる装置の大幅な小型化かつ低コスト化を実現できるという効果を奏する。
また、Ｋ色の作像ユニットを備えるので、仮にＭ，Ｃ，Ｙの３つの作像ユニットだけを備える構成とした場合に、Ｍ，Ｃ，Ｙ色系のトナーを重ねただけでブラック色として、いわゆる真っ黒な色を再現できないといったことが生ぜず、ビジネスで使用される書類等の黒色文字をよりきれいに再現できる。
（第２の実施の形態）
上記第１の実施の形態では、タンデム方式のカラーデジタルプリンタの構成例を説明したが、本実施の形態では、いわゆる中間転写体方式のカラーデジタルプリンタとしており、この点が異なっている。以下、第１の実施の形態と構成が異なる部分を中心に説明することとし、同じ部分についてはその説明を省略し、また同符号を付するものとする。
【００５４】
図９は、本実施の形態にかかるプリンタ８１の全体の構成を示す図である。
同図に示すように、プリンタ８１は、作像手段としての作像部８２と中間転写部９０とが第１の実施の形態におけるプリンタ１と大きく異なっている。
中間転写部９０は、駆動ローラ９２と、従動ローラ９３と、テンションローラ９４と、これらローラに張架される中間転写体としての中間転写ベルト９１などを備える。
【００５５】
作像部８２は、感光体ドラム８３と、帯電器８４と、露光部８５と、現像部８６と、一次転写ローラ８７と、クリーナ８８等を備えている。
露光部８５は、レーザダイオードを内蔵し、制御部１５０からの駆動信号に基づいて、再現色ごとに感光体ドラム８３の表面を露光する。
感光体ドラム８３は、上記露光を受ける前にクリーナ８８で感光体表面の残留トナーを除去された後、帯電器８４により一様に帯電されており、このように一様に帯電した状態で露光を受けると、感光体ドラム８３表面の感光体に静電潜像が形成される。
【００５６】
現像部８６は、Ｍ，Ｃ，Ｋ色系のトナーを含む現像剤を収容した３つの現像ユニット８６Ｍ，８６Ｃ，８６Ｋが現像ラック９８に挿入されて構成され、当該現像ラック９８の支軸９９を中心に、現像切換モータ９７により矢印Ｂ方向に回転駆動されるようになっており、次の再現色に対応するいずれかの現像ユニットが感光体ドラム８３と対向する現像位置に位置するように、制御部１５０により回転制御されて、感光体ドラム８３表面上の静電潜像を現像する。同図は、Ｍ色用の現像ユニット８６Ｍが現像位置に位置している状態を示している。
【００５７】
現像ラック９８に設けられている接続端子７１〜７３は、第１の実施の形態と同じ機能を有するものであり、現像ユニットが装着されると、現像ユニットに設けられている出力端子（不図示）と接続され、その出力端子から出力される現像ユニットを識別するための識別信号を制御部１５０に送る。これにより制御部１５０は、現像ラック９８のどの位置にどの現像ユニットが装着されているかを判定することができる。
【００５８】
なお、装置本体には、現像ラック９８の回転角を検出するセンサ（不図示）が設けられており、制御部１５０は、当該センサからの検出信号に基づいて、どの現像ユニットが現像位置に位置しているのかを判定することができる。
感光体ドラム８３上に作像されたトナー像は、一次転写位置９６において、一次転写ローラ８７と感光体ドラム８３との間で発生する電界により、中間転写ベルト９１上に転写される。その際、感光体ドラム８３上における作像動作は、Ｍ，Ｃ，Ｋの各色のトナー像が、その順に中間転写ベルト９１上の同じ位置に転写されるように、露光、現像ユニットの切換動作などのタイミングが制御されることにより実行される。これにより、各色のトナー像が中間転写ベルト９１上に順次重ねられてカラーのトナー像が形成される。
【００５９】
中間転写ベルト９１上への各色のトナー像の一次転写が終了すると、各色のトナー像は、二次転写位置２１において用紙Ｓ上に一括して二次転写され、定着部４０において用紙Ｓ上に定着された後、排出トレイ４１上に排出される。
図１０は、制御部１５０の構成を示すブロック図である。
同図に示すように、制御部１５０は、第１の実施の形態における制御部１００と基本的に同じであるが、現像切換モータ９７の回転制御を行う点、および１つの色に対する作像動作を終えてから、次の色に対する作像動作を開始する制御を行うために、ＬＤ駆動部１５１においてＭ，Ｃ，Ｋ色の順に、画像データが読み出されると共に駆動信号が露光部８５に送られるようになっている点が異なっている。
【００６０】
なお、第１の実施の形態では、作像ユニット２Ｍ等を着脱可能としたが、本実施の形態では、現像ユニット単位で着脱可能になっており、ユーザは、現像ラック９８に収納されている現像ユニット８６Ｍ〜８６Ｋを個別に装置本体から取り外し、装着できるようになっている。また、第１の実施の形態と同様に、Ｍ色とＣ色について色度点が従来相当のトナーを含む現像ユニット８６Ｍ´，８６Ｃ´がオプション扱いで用意されており、ユーザは、Ｍ色とＣ色について、現像ユニット８６Ｍと８６Ｍ´、８６Ｃと８６Ｃ´を選択して使用することが可能である。この場合のＭＣＫ変換部１０３１の制御については、第１の実施の形態と同じである。すなわち、装着されている３つの現像ユニットの組み合わせと装着位置に応じて、変換処理部１１３１，１１３２から使用すべきものを選択するものである。
【００６１】
このように、中間転写体方式において、Ｍ，Ｃ，Ｋの３色によりカラー画像を形成する構成としたので、Ｙ色を含む４色とする場合よりも現像部を小型化でき、もって装置の大幅な小型化を実現できる。
そして、４色の構成に比べて、１枚の用紙に対するカラー画像形成に要する時間を、Ｙ色の作像プロセスが不要な分だけ短縮することができ、生産性を向上できる。また、１枚の用紙に対する、感光体ドラムやベルト等の部材の駆動時間も短縮されるので、駆動による各部材の消耗をより低減でき、もって各部材の交換サイクルをより長くとることができるようになって、装置の信頼性を向上できるという効果を奏する。
【００６２】
なお、本発明は、画像形成装置に限られず、カラーの画像形成方法であるとしてもよい。さらに、その方法をコンピュータが実行するプログラムであるとしてもよい。また、本発明に係るプログラムは、例えば磁気テープ、フレキシブルディスク等の磁気ディスク、ＤＶＤ−ＲＯＭ、ＤＶＤ−ＲＡＭ、ＣＤ−ＲＯＭ、ＣＤ−Ｒ、ＭＯ、ＰＤなどの光記録媒体、フラッシュメモリ系記録媒体等、コンピュータ読み取り可能な各種記録媒体に記録することが可能であり、当該記録媒体の形態で生産、譲渡等がなされる場合もあるし、プログラムの形態でインターネットを含む有線、無線の各種ネットワーク、放送、電気通信回線、衛星通信等を介して伝送、供給される場合もある。
【００６３】
また、本発明に係るプログラムは、上記に説明した処理をコンピュータに実行させるための全てのモジュールを含んでいる必要はなく、例えば通信プログラムやオペレーティングシステム（ＯＳ）に含まれるプログラムなど、別途情報処理装置にインストールすることができる各種汎用的なプログラムを利用して、本発明の各処理をコンピュータに実行させるようにしても良い。従って、上記した本発明の記録媒体に必ずしも上記全てのモジュールを記録している必要はないし、また必ずしも全てのモジュールを伝送する必要もない。さらに所定の処理を専用ハードウェアを利用して実行させるようにすることができる場合もある。
【００６４】
（変形例）
以上、本発明を実施の形態に基づいて説明してきたが、本発明は、上述の実施の形態に限定されないのは勿論であり、以下のような変形例が考えられる。
（１）上記第１の実施の形態では、作像ユニットが適正な状態にセットし直されるまで、不適正である旨のメッセージを表示させるとしたが、ユーザによる作像ユニットの交換が行われず不適正なままの状態が所定時間続くような場合には、例えばそれ以後に実行すべきプリントジョブを中止または破棄する旨の別のメッセージを表示させて警告すると共に中止等の処理を実行する方法をとるとしても良い。
【００６５】
（２）また、作像ユニットの並び順をパターン１、２として規定したが、例えば使用される作像ユニットの種類は適正であるが並び順が適正ではない、具体的には装置左端からＫ，Ｃ，Ｍの順の並んでいるような場合には、次のように処理することもできる。すなわち、並び順が異なる旨のメッセージを表示すると共に、その並び順を無視するか否かの選択入力を受け付けるメッセージを表示させ、ユーザにより無視することが選択されると、その並び順で作像動作を実行する構成とするものである。
【００６６】
この構成とする場合、作像順序を、本来のＭ，Ｃ，Ｋの順からＫ，Ｃ，Ｍの順に変更する、具体的にはＫ，Ｃ，Ｍ色のトナー像がその順で中間転写ベルト１１上に一次転写されるように、各作像ユニット２Ｍ〜２Ｋについて、帯電、露光、転写等のタイミングを変更することにより実現できる。
作像ユニットの並び順により色再現性が変わる場合があることを考慮し、例えば適正情報として、並び順ごとに別にパターン番号を付したものを新たな情報とすると共に、各パターン番号に対応する変換処理部を用意し、組み合わせと並び順に応じて、使用する変換処理部を選択する（変換処理の内容を変更する）構成をとることができる。具体的には、Ｍ，Ｃ，Ｋの順の場合に第１の変換処理部、Ｋ，Ｃ，Ｍの順の場合に第２の変換処理部、Ｍ，Ｋ，Ｃの順の場合に第３の変換処理部等といった具合である。
【００６７】
（３）さらに、適正情報および変換処理部自体は、上記実施の形態のままにして、作像ユニットの並び順に関わらず、装着されている作像ユニットの組み合わせがどのパターンに相当するのかを判定し、判定されたパターンに対応する変換処理部を選択するとしても良い。例えば、装置左端からＫ，Ｃ，Ｍの順の場合には、パターン１に対応する変換処理部１１３１が選択されることになる。なお、上記（１）（２）のことは、第２の実施の形態にもそれぞれ適用できる。
【００６８】
（４）また、パターン１と２でなくても、例えば作像ユニット２Ｋが装着されている場合には、モノクロの画像形成を許可するとしても良い。
（５）画像形成装置としては、Ｙ色を除くＭ，Ｃ，Ｋ色用の３つの作像ユニットのみを用いて、シート等の被転写体上にカラー画像を形成する装置であれば、プリンタに限られず、複写機、ＭＦＰ（Multiple Function Peripheral）、ファクシミリ装置等に適用できる。
【００６９】
また、タンデム方式としては、上記のものに限られず、例えば中間転写ベルト１１に代えて搬送ベルト等の転写材搬送体を設け、当該転写材搬送体上に記録シート等の転写材を吸着等により保持した状態で搬送させ、その搬送される転写材上に各色のトナー像を順次転写する構成であっても良い。
さらに、タンデム方式や中間転写体方式に限られず、例えば第２の実施の形態における中間転写ベルト９１に代えて、転写材搬送体としての転写ドラムを設け、当該転写ドラム上に記録シート等の転写材を吸着等により保持した状態で回転させ、感光体ドラム８３上に作像される各色のトナー像を、順次、当該転写材上に転写して重ね合わせることによりカラー画像を得る、いわゆる転写ドラム方式などの種々の画像形成装置に適用できる。なお、転写材搬送体としては、転写材を搬送できるものであれば、ドラム状、ベルト状のいずれであっても良く、またこれらに限られることもない。さらに、中間転写体として、第１と第２の実施の形態では中間転写ベルト１１、９１を用いたが、ベルト状に限られることはなく、例えばドラム状であっても良い。
【００７０】
また、第２の実施の形態では、現像ラック９８を回転させて各色用の現像ユニットを順次現像位置に移動させるとしたが、この方式に限られず、例えば感光体ドラムの周囲に各現像ユニットが固定的に配置され、各色ごとに、順に現像を実行して行く構成であっても良い。また、現像ユニットを移動させる構成をとる場合、現像ラックの回転方式に限られず、例えば各現像ユニットを個別に移動させるスライド方式や各現像ユニットを並べてラックに収納し、これを直線上に移動させるエレベータ方式などであってもよい。
【００７１】
さらに、作像（現像）ユニットの判別方法として識別信号を用いるとしたが、判別できる方法であればこれに限られないこともいうまでもない。例えば、ユニットごとに、所定位置に識別のためのコードを印刷しておき、各ユニットが装置本体に装着されたときに、そのコードを読み取って、どの位置にどのユニットが装着されたのかを判別する方法などが考えられる。
【００７２】
上記実施の形態及び上記変形例をそれぞれ組み合わせるとしても良い。
【産業上の利用可能性】
【００７３】
本発明は、カラー画像を形成する画像形成装置に広く適用することができる。
【図面の簡単な説明】
【００７４】
【図１】第１の実施の形態にかかるプリンタ１の全体の構成を示す図である。
【図２】Ｌ＊ａ＊ｂ＊表色系におけるＭ，Ｃ色系のトナーの色度点を示す色度図である。
【図３】プリンタ１の制御部１００の構成例を示すブロック図である。
【図４】制御部１００の適正情報記憶部１０８に格納されている適正情報の内容例を示す模式図である。
【図５】制御部１００のＭＣＫ色変換部１０３１の構成を示すブロック図である。
【図６】制御部１００において実行されるセット状態通知処理の内容を示すフローチャートである。
【図７】作像ユニットのセット状態を説明するメッセージ表示の例を示す図である。
【図８】ＭＣＫ変換部１０３１における変換処理の内容を示すフローチャートである。
【図９】第２の実施の形態にかかるプリンタ８１の全体の構成を示す図である。
【図１０】プリンタ８１の制御部１５０の構成例を示すブロック図である。
【符号の説明】
【００７５】
１、８１      プリンタ
２Ｍ，２Ｃ，２Ｋ      作像ユニット
６Ｍ，６Ｃ，６Ｋ      現像器
１０、９０      中間転写部
８２      作像部
８６Ｍ、８６Ｃ、８６Ｋ      現像ユニット
１００、１５０      制御部
１０９      セット状態判定部
１０３１      ＭＣＫ変換部
【図１】
2007155832.tif 000003
【図２】
2007155832.tif 000004
【図３】
2007155832.tif 000005
【図４】
2007155832.tif 000006
【図５】
2007155832.tif 000007
【図６】
2007155832.tif 000008
【図７】
2007155832.tif 000009
【図８】
2007155832.tif 000010
【図９】
2007155832.tif 000011
【図１０】
2007155832.tif 000012